(57)【要約】【課題】下葺屋根と上葺屋根との間に介装して上下方向での熱伝導を遮断するために合成樹脂製の断熱部材を有した屋根板支持用断熱金具において、確固とした固定状態が得られるうえに合成樹脂の使用量を抑えることができるようにすること。【解決手段】下葺屋根２の上に固定する固定金具６の上面における左右方向の一方に高位置受け面１３を、左右方向の他方に低位置受け面２２を形成し、断熱部材８には、上記高位置受け面１３または低位置受け面２２に乗って上下方向での熱伝導を阻止する断熱受け部３８，４０と、これら断熱受け部３８，４０を上下方向に連結する垂直断熱片３９を形成する。そして該垂直断熱片３９と、上記高位置受け面１３を支持する垂直部１２との間に、上下方向での位置ずれを阻止する位置決め構造４１，４１ａ，４２，７６，７７，７８，７９を設け、上記断熱部材８の上面側に、上記固定金具６とは非接触の取り付け手段４９を用いて、屋根板係止用の係止部材７を取り付ける屋根板支持用断熱金具１。【選択図】    図２
2004204456.tif 000002
【特許請求の範囲】
【請求項１】
下地材の上に固定する固定金具と屋根板を係止する係止部材との間に断熱部材を介装して、下地材と屋根板との間での熱伝導を遮断する屋根板支持用断熱金具であって、
上記固定金具の高さを左右両側部位においてそれぞれ違え、左右方向の一方に高位置受け面を、左右方向の他方に低位置受け面を形成し、
上記断熱部材には、上記高位置受け面または低位置受け面に乗って上下方向での熱伝導を阻止する断熱受け部を形成し、
これら断熱受け部を上下方向に連結する垂直断熱片には、上記高位置受け面を支持する垂直部との間で上下方向での位置ずれを阻止する位置決め構造を設け、
上記断熱部材の上面側に、上記固定金具とは非接触の取り付け手段を用いて上記係止部材を取り付ける
屋根板支持用断熱金具。
【請求項２】
前記位置決め構造が、断熱部材の垂直断熱片と固定金具の垂直部との対向面に形成した凹凸である
請求項１に記載の屋根板支持用断熱金具。
【請求項３】
前記位置決め構造が、係止部材取り付け用の前記取り付け手段である
請求項１に記載の屋根板支持用断熱金具。
【請求項４】
前記固定金具を、前記下地材に対して挟持を行う左右一対の挟持金具で構成するとともに、
前記垂直断熱片の下端に、上記挟持金具間に挟持される垂下片を垂設し、
上記挟持金具の間に、上記垂下片と同一または略同一の厚みの被挟持部と、挟持金具による挟持時に下地材に対して圧接する圧接縁とを有する第１補助金具を設けた
請求項１から請求項３のうちのいずれか一項に記載の屋根板支持用断熱金具。
【請求項５】
前記固定金具を、前記下地材に対して挟持を行う左右一対の挟持金具で構成するとともに、
少なくとも一方の挟持金具に、挟持金具による挟持時に下地材に対して圧接する圧接縁を有した第２補助金具を重合した
請求項１から請求項３のうちのいずれか一項に記載の屋根板支持用断熱金具。
【請求項６】
前記断熱部材の垂直断熱片には、左右方向に突出する突起を形成するとともに、
固定金具の対応部位には、上記突起を挿嵌する切欠部を形成した
請求項１から請求項５のうちのいずれか一項に記載の屋根板支持用断熱金具。
【請求項７】
前記断熱部材の断熱受け部の外側縁に、平面視円弧状の円弧状部を形成した
請求項１から請求項６のうちのいずれか一項に記載の屋根板支持用断熱金具。
【発明の詳細な説明】
【０００１】
【発明の属する技術分野】
この発明は、例えば下葺屋根の上に断熱材を介装して上葺屋根を葺設し、断熱・防音性を有した屋根を形成するときに用いるような、屋根板支持用断熱金具に関する。
【０００２】
【従来の技術】
上述のような屋根板支持用断熱金具は、金属製の金具に合成樹脂製の断熱部材を組み合わせて構成している。金具は熱を伝えるが、合成樹脂は熱伝導を遮断するので、下地材に固定する固定金具と、屋根板を係止する係止部材は金属で形成するも、これらの間に介装する断熱部材は合成樹脂で形成する。
【０００３】
その構造は、両側に有した立ち上がり部の上端部において係合を行う屋根板を支持するための屋根板支持用断熱金具の場合、固定金具を左右一対の挟持金具で構成するとともに、断熱部材を正面視略Ｔ字型に形成する（例えば特許文献１参照）。すなわち断熱部材は、屋根板を受ける略水平な受け部を上端に有するとともに、挟持部材間に挟まれる縦長の被挟持部を有する。係止部材は、被挟持部に形成した縦の溝に差し込んで固定する。
【０００４】
この構成によれば、一対の挟持金具と断熱部材、それに係止部材の一体性が高いので強固な屋根を構成できてよいが、合成樹脂を挟んだ状態で下地材に固定するので、火災により合成樹脂製の断熱部材が燃えた場合には、挟持金具が下地材から外れて屋根が飛んでしまう恐れがある。また、係止部材を保持可能な被挟持部を形成する分、合成樹脂の使用量も多くなって、燃えた場合の有毒ガス、資源、製造コスト等の点で難点がある。
【０００５】
【特許文献１】
実用新案登録第２５９８６１２号公報。
【０００６】
【発明が解決しようとする課題】
そこでこの発明は、確固とした固定状態を得られるうえに合成樹脂の使用量を抑えることができ、万が一の火災の時でも屋根が吹き飛ぶ不都合を回避できるような屋根板支持用断熱金具の提供を主たる課題とする。
【０００７】
【課題を解決するための手段】
そのための手段は、下地材の上に固定する固定金具と屋根板を係止する係止部材との間に断熱部材を介装して、下地材と屋根板との間での熱伝導を遮断する屋根板支持用断熱金具であって、上記固定金具の高さを左右両側部位においてそれぞれ違え、左右方向の一方に高位置受け面を、左右方向の他方に低位置受け面を形成し、上記断熱部材には、上記高位置受け面または低位置受け面に乗って上下方向での熱伝導を阻止する断熱受け部を形成し、これら断熱受け部を上下方向に連結する垂直断熱片には、上記高位置受け面を支持する垂直部との間で上下方向での位置ずれを阻止する位置決め構造を設け、上記断熱部材の上面側に、上記固定金具とは非接触の取り付け手段を用いて上記係止部材を取り付ける屋根板支持用断熱金具であることを特徴とする。
【０００８】
すなわちこの屋根板支持用断熱金具では、高低差のある固定金具の上面に沿って、上下方向での熱伝導不可に断熱部材が位置する。すなわち、高位置受け面と低位置受け面と、高位置受け面を支持する垂直部に沿って、断熱部材が被さる。断熱部材の垂直断熱片は、位置決め構造により上記垂直部と位置ずれ阻止がなされ、固定金具に一体化する。
【０００９】
また、係止部材は、固定金具とは非接触の取り付け手段で断熱部材の上側に取り付けられ、屋根板を係止する。係止部材が例えば吊子である場合には、ボルトやリベットで構成する上記取り付け手段を、固定金具を通して下から上に向けて取り付けたり左右方向に取り付けたりして、係止部材を取り付けるとよい。
【００１０】
前記位置決め構造は、断熱部材の垂直断熱片と固定金具の垂直部との対向面に形成した凹凸であるも、係止部材取り付け用の前記取り付け手段であるもよい。前者のように構成して位置決め構造と取り付け手段を併用して一体化を行うと、二重に一体化が行える。
【００１１】
なお、下地材に対する固定強度を高めるには、例えば、前記固定金具を、前記下地材に対して挟持を行う左右一対の挟持金具で構成するとともに、前記垂直断熱片の下端に、上記挟持金具間に挟持される垂下片を垂設し、上記挟持金具の間に、上記垂下片と同一または略同一の厚みの被挟持部と、挟持金具による挟持時に下地材に対して圧接する圧接縁とを有する第１補助金具を設けるとよい。
【００１２】
上記第１挟持金具の被挟持部が挟持金具の挟持時に締め付けられると、圧接縁が下地材に圧接して、下地材に対する固定がなされる。また同時に、断熱部材の垂下片も挟持金具に締め付けられ、この挟持による固定部材との一体化も図れる。
【００１３】
また、前記固定金具を、前記下地材に対して挟持を行う左右一対の挟持金具で構成するとともに、少なくとも一方の挟持金具に、挟持金具による挟持時に下地材に対して圧接する圧接縁を有した第２補助金具を重合して、下地材に対する固定強度の向上を図るもよい。
【００１４】
第２補助金具を挟持金具に重合すると、挟持金具は補強されて剛性が高まるとともに、圧接縁が下地材に圧接する。
【００１５】
好ましくは、上記第１補助金具と第２補助金具を併用すると、左右両側から締め付けが行え、より強力な固定となる。
【００１６】
さらに、前記断熱部材の垂直断熱片には、左右方向に突出する突起を形成するとともに、固定金具の対応部位には、上記突起を挿嵌する切欠部を形成するもよい。
【００１７】
突起と切欠部が固定金具と断熱部材の上下方向での相対移動を阻止する。また固定金具を左右一対の挟持金具で構成した場合には、突起と切欠部が、下地材への固定時に左右の挟持金具を離間しても、金具構成部材の相互関係を保つ。
【００１８】
また、前記断熱部材の断熱受け部の外側縁に、平面視円弧状の円弧状部を形成するもよい。円弧状部の存在ゆえに、角がないぶん合成樹脂の使用量が減るとともに、丸みを帯びた意匠感を表現できる。
【００１９】
【発明の効果】
以上のようにこの発明によれば、断熱を行う断熱部材は、高位置受け面と低位置受け面を設けて高低差を有するように形成した固定部材の上に位置し、係止部材は、その断熱部材の上面側に、段差を利用して固定すればよい。すなわち段差を構成する断熱受け部と垂直断熱片のいずれに取り付けるもよく、このため係止部材が吊子であっても、従来例のように断熱部材に差し込む溝を形成する必要はなく、その分厚みを薄くできて合成樹脂の使用量を低減することができる。また吊子以外の係止部材であっても、段差を利用することで様々な形態の係止部材を自由に取り付けることができる。
【００２０】
また、固定金具の上に断熱部材を取り付け、固定金具による下地材に対する固定に断熱部材が関与していない構成のため、万が一火災が起こって断熱部材が燃えても、固定金具による固定に支障はなく、確固とした固定状態を得ることができる。
【００２１】
しかも、上述のように使用する合成樹脂が少なくすることができるので、断熱部材が消失しても係止部材の固定状態を維持できる構成を得ることが容易である。特に取り付け手段による係止部材の取り付けに当たって、断熱部材がなくなった場合でも取り付け手段が固定金具から外れないで引っかかるように、固定金具を通して取り付けることで、火災により屋根が飛んでしまうのを防止できる。
【００２２】
また、被挟持部と圧接縁を有する第１補助金具を設けるとともに、断熱部材には垂下片を形成することにより、挟持に従って圧接縁が下地材を締め付けるので、下地材に対する固定強度を高めることができるとともに、固定金具と断熱部材との一体性も高めることができる。
【００２３】
挟持金具に重合する第２補助金具を設けても、挟持金具による挟持時に圧接縁が下地材に対して圧接するので、また挟持金具は剛性が向上するので、下地材に対する固定強度の高めることができる。
【００２４】
さらに、断熱部材の垂直断熱片に左右方向に突出する突起を形成するとともに、固定金具の対応部位には、上記突起を挿嵌する切欠部を形成すると、突起と切欠部が固定金具と断熱部材の上下方向での相対移動を阻止し、一体性をより一層向上できる。また固定金具を左右一対の挟持金具で構成した場合には、突起と切欠部が、下地材への固定時に左右の挟持金具を離間しても、金具構成部材の相互関係を保つので、ばらばらにならず、固定作業が容易である。
【００２５】
また、断熱部材の断熱受け部の外側縁に、平面視円弧状の円弧状部を形成すると、合成樹脂の使用量をさらに減らせることができるので、燃焼時の有毒ガス、資源、製造コストの点で有利となる。その上、丸みを帯びた新規な意匠感が生まれ、角張った感じのこれまでの断熱金具の印象を払拭した斬新な美感を得られる。
【００２６】
【発明の実施の形態】
この発明の一実施の形態を、以下図面を用いて説明する。
図１は、屋根板支持用断熱金具１（以下、断熱金具という）の斜視図であり、この断熱金具１は、図２に示したように、下地材としての下葺屋根２の上に固定し、断熱材３を敷き込んでから屋根板４ａを取り付け（上葺屋根４を形成し）、断熱・防音性を有した屋根５を形成するのに用いる。
【００２７】
この例において上記下葺屋根２は、両側に有した立ち上がり部２ｂの上端部を隣接するもの同士で相互に係合し合う構造の馳締めタイプの屋根板２ａからなり、断熱金具１で支持する上記屋根板４ａも、上記下葺屋根２の屋根板２ａと同様に馳締めタイプの屋根板である。
【００２８】
断熱金具１は、下葺屋根２と上葺屋根４との間の熱伝導を遮断して、断熱性を得るためのもので、金属板と合成樹脂とを組み合わせて構成する。すなわち、下葺屋根２に固定する固定金具６と屋根板４ａを係止する係止部材7を金属板で形成し、これらの間に合成樹脂製の断熱部材８を介在させる。
【００２９】
上記固定金具６は、下葺屋根２が上述のごとく馳締めタイプの屋根板２ａからなるので、上端で相互に係合し合っている馳締め部２ｃとその近傍を挟持する左右一対の挟持金具６ａ，６ｂで構成する。
【００３０】
この例における下葺屋根２の馳締め部２ｃが略逆L字型をなす角馳であるので、正面視左側の挟持金具６ａは、上記馳締め部２ｃに対応する位置に馳締め部２ｃを包み込む階段状の包囲部９を形成し、この包囲部９の下端からは、屋根板２ａの形に沿って外側に延ばして略水平の接地部１０と傾斜する裾部１１を形成している。
【００３１】
上記包囲部９の上端からは、垂直に立ち上がる垂直部１２を形成し、該垂直部１２の上端からは水平方向外側に延びる高位置受け面１３を形成している。高位置受け面１３は、他方の挟持金具６ｂの受け面（低位置受け面２２）よりも高い位置にある。
【００３２】
また、上記垂直部１２の下部には、図３、図４に示したように締め付け用のボルト１４を挿通保持するための角孔１５を形成しており、垂直部１２の上部には、外方へ突出して内側面に凹部１６ａを形成する側面視円形の膨出部１６を設けている（図５参照）。
【００３３】
正面視右側の挟持金具６ｂは、上記左側の挟持金具６ａの包囲部９と対向する部位に、垂直な面からなる挟圧面１７を設け、この挟圧面１７の下端からは屋根板２ａの形に沿って外側に延ばして略水平の接地部１８と傾斜する裾部１９を延設している。裾部１９に設けた貫通孔１９ａは、必要に応じてねじ止めするためのものである。
【００３４】
また挟圧面１７の上端からは垂直に立ち上がる垂直部２０を形成し、上記左側の挟持金具６ａにおける角孔１５に対向する位置に角孔２１を形成した上で、それより上側であって左側の挟持金具６ａの高位置受け面１３よりも低い位置に、低位置受け面２２を水平方向外側に向けて延設している。
【００３５】
この低位置受け面２２は、外側縁に円弧状の円弧状部２３を形成し、略中央には、上下方向に貫通する角孔２４を形成する。
【００３６】
また、上記挟圧面１７の下端には、内外に貫通して前後方向に長い挿通溝２５を形成している。
【００３７】
このような左右一対の挟持金具６ａ，６ｂには、２枚の補助金具を付設する。ひとつは、左右の挟持金具６ａ，６ｂに挟持される２７である。
【００３８】
第１補助金具２６は左右の挟持金具６ａ，６ｂの垂直部１２，２０に挟まれる適宜厚の板状の被挟持部２８を有し、この下端から、左側の挟持金具６ａにおける包囲部９内に収まる大きさで略「つ」字状に延ばして、下葺屋根２の馳締め部２ｃを押さえ込む挟圧部２９を形成し、この挟圧部２９の下端縁を馳締め部２ｃの垂直な部分に圧接する圧接縁３０に設定している。
【００３９】
上記被挟持部２８には、上述の角孔１５，２１と対応する位置に、同じ大きさの角孔３１を形成する。
【００４０】
第２補助金具２７は、右側の挟持金具６ｂの外側面に重合する重合片３２と、この重合片３２の下端から内側に向けて延設した爪部３３を形成する。爪部３３は、上記右側の挟持金具６ｂの挿通溝２５を貫通する長さで、先端が下葺屋根２の馳締め部２ｃに圧接する圧接縁３４である。この圧接縁３４と上記第１補助金具２６の圧接縁３０とは、その位置を上下方向で違えており、挟持したときには噛み付くよう締め付けることができるようにしている。第１補助金具２６の圧接縁３０と第２補助金具２７の圧接縁３４を同じ高さに設定する場合よりも、強力に締め付けられる。
【００４１】
なお、重合片３２における上記角孔１５，２１，３１に対応する位置には、同じ大きさの角孔３５を形成している。また重合片３２の両側縁には、補強のための折り曲げ片３６，３６を立てている。左右の挟持金具６ａ，６ｂにおいても補強のためのリブ３７は適宜形成している。
【００４２】
上記断熱部材８は、基本的に上記一組の挟持金具６ａ，６ｂの上側に沿う段差を有した形である。すなわち、高位置受け面１３に乗る第１断熱受け部３８と、左側の挟持金具６ａの垂直部１２に沿って下に延びる垂直断熱片３９と、低位置受け面２２に乗る第２断熱受け部４０とを有する。
【００４３】
上記第１断熱受け部３８は、適宜厚の板状に形成し、垂直断熱片３９も同様に適宜厚の板状に形成する。この垂直断熱片３９においては、左側の挟持金具６ａとの一体性を得るため、上下方向、左右方向（横方向）での位置ずれを阻止する位置決め構造を左側の挟持金具６ａとの間で設ける。すなわち、左側の挟持金具６ａ凹部に対応する位置に、該凹部１６ａ内に収まる円板状の位置決め突部３９ａを形成する。
【００４４】
図４、図５に示したように、垂直断熱片３９の前後方向の両側縁に、左側の挟持金具６ａの垂直部１２を嵌め込む凹所を形成すべく、突部４１，４１を形成し、これら突部４１の内側縁に上端が水平な辺で構成される係合突部４１ａを突設する。そして上記垂直部１２の対応部位には、切欠部４２を形成する。
【００４５】
また、垂直断熱片３９下端からは、下へ延びる垂下片４３を形成する。この垂下片４３は、第１補助金具２６の被挟持部２８と同一または略同一の厚みに設定する。このようにすることで、ボルト１４ナット４４で挟持金具６ａ，６ｂに締め付け力を作用させたときに、垂下片４３が挟持される。また同時に、挟持による下葺屋根２への固定に垂下片４３は関与しない。すなわち、垂下片４３があろうとなかろうと、締め付け力の低下をきたさないようにすることができる。
【００４６】
上記第２断熱受け部４０は、第１断熱受け部３８よりは厚く形成し、ナット４５を収容可能にするナット収容凹部４６を略中央に上面側から形成している。ナット収容凹部４６の中心には、下面に抜けるボルト挿通孔４７を形成し、またこの第２断熱受け部４０の下面には、上記右側の挟持金具６ｂの低位置受け面２２に形成した角孔２４と同じ大きさの四角い組み合わせ凹部４８を形成している。この組み合わせ凹部４８は、係止部材7取り付け用の取り付け手段としてのボルト４９を、右側の挟持金具６ｂとは非接触に取り付けるための断熱補助部材５０を組み合わせるためのものである。
【００４７】
すなわちこの断熱補助部材５０は、図３、図４に示したように、円板状のつば部５１の上面に四角い嵌合部５２を有した形状で、中心に上記ボルトを挿通するボルト挿通孔５３を形成している。上記嵌合部５２は、上記角孔２４と組み合わせ凹部４８に嵌合する大きさで、低位置受け面２２の下から上へ嵌めてボルト４９ナット４５を締め付けたときに右側の挟持金具６ｂと断熱部材８と断熱補助部材５０とを一体化できるように角孔２４と組み合わせ凹部４８の深さに応じた長さに設定している。上記ボルト４９には、ナット収容凹部４６に収容するナット４５を螺合して、各部材６ｂ，８，５０をあらかじめ一体化しておく。
【００４８】
また、第２断熱受け部４０の外側縁には、低位置受け面２２と同様に、平面視円弧状の円弧状部５４を形成する。
【００４９】
上記係止部材7は、この例においては所謂角馳タイプの吊子で形成している。すなわち、断面略トライアングル状の係止部５５を上端に有し、この係止部５５の基部から下へ垂設した垂設部５６の下端から、第２断熱受け部４０の上面に沿って延びる接地片５７を延設する。接地片５７の外周縁は、第２断熱受け部４０に対応させて円弧状に形成し、この円弧状をなす外周縁には、第２断熱受け部４０の円弧状部５４に沿う係合縁部５８を形成する。また接地片５７の中央部には、左右方向に長めの長孔５９を形成している。
【００５０】
図６０は、係止部材7の補強用のリブで、６１は、係止部材7の取り付けに当たって上から押さえる当て板である。
【００５１】
このように構成した断熱金具１は、次のように使用する。
まず、ボルト１４ナット４４を緩めて挟持金具６ａ，６ｂ同士を離間する。そして、第１補助金具２６と、右側の挟持金具６ｂとの間に下葺屋根２の馳締め部２ｃを挟みこんで、左右の挟持金具６ａ，６ｂの接地部１０，１８と裾部１１，１９を下葺屋根２の上に乗せる。
【００５２】
ボルト１４ナット４４できつく締め付けると、左側の挟持金具６ａの包囲部９が第１補助金具２６の挟圧部２９を押さえ込むとともに、第２補助金具２７が右側の挟持金具６ｂを後押しする。すると、第１補助金具２６の挟圧部３０と右側の挟持金具６ｂの挟圧面１７、および接地部１０，１８と裾部１１，１９による挟持が行われるうえに、挟圧部２９の先端の圧接縁３０と第２補助金具２７の爪部３３先端の圧接縁３４とにより、図２に示したように互い違いに噛み付くような挟持を行う。このため、強固な固定状態を得ることができる。
【００５３】
またこのように左右両方から圧接縁３０，３４を当てて挟持するので、挟持したときに左右で均等に締め付けることができ、傾くことを防止できる。このため、左右の挟持金具６ａ，６ｂの接地部１０，１８の高さを同じに設定できる。
【００５４】
断熱金具１の固定後は、上述したように断熱材３を敷き込んだ後、第２断熱受け部４０上に取り付ける係止部材7を利用して、屋根板を取り付ける。なお、この例では係止部材が角馳タイプであるので、屋根板４ａの取り付け時に係止部材7を取り付ける必要があるが、丸馳タイプの場合にはあらかじめ固定しておく。その他の形態の係止部材の場合でも、係止部材の使用方法に応じてそのときに取り付けたり、あらかじめ取り付けておいたり適宜に行う。係止部材7の取り付けは、係止部５５を屋根板４ａの上端の馳部に上から引っ掛けて、そのまま回転して下ろして行うので容易である。また下から突出しているボルト４９は、あらかじめ固定された状態であるので、作業は単にナット６２を羅合するだけでよく、書簡単である。
【００５５】
屋根板４ａを取り付けて上葺屋根４を形成して、断熱性を有する屋根５を形成すると、この屋根５では、上葺屋根４の持つ熱は係止部材7を介して伝導するも、断熱部材８と断熱補助部材５０によって遮られる。また下葺屋根２の持つ熱も挟持金具６ａ，６ｂ等を介して伝導するが、断熱部材８と断熱補助部材５０によって遮られる。このようにして断熱が行え、断熱材３を入れているので防音効果も達成できる。
【００５６】
また、屋根５に掛かる正圧、負圧に対しては、上述のように挟持金具６ａ，６ｂによって強固に固定されている上に、ボルト１４によって強固に固定され一体化されている挟持金具６ａ，６ｂ、第１補助金具２６および第２補助金具２７は、位置決め構造（すなわち凹部１６ａ、位置決め突部3９ａ、突部４１、切欠部４２）と係止部材取り付け用の取り付け手段（すなわちボルト４９）とにより断熱部材８を一体化しているので、高い強度が得られる。特に負圧に際しては、係止部材7が上へ引っ張られても、当て板６１の存在もあって係合縁部５８が第２断熱受け部４０に引っかかるので、容易には伸びない（図３参照）。しかもその係合縁部５８は、平面視円弧状に形成しているので、変形に対して強く、強度をさらに高めることができる。
【００５７】
さらに、断熱部材８は上述したように第１断熱受け部３８と垂直断熱受け片３９を板状に形成し、第２断熱受け部４０には円弧状部５４を形成した構成であって、係止部材７を断熱部材８の段差を利用して取り付けた構成であるので、断熱部材８の材料たる合成樹脂の使用量を抑えることができる。
【００５８】
このため、万が一燃えても有毒ガスの出る量を抑えることができるとともに、廃棄するときにも処分が容易であって、また製造コストを抑えることもできる。
【００５９】
しかも断熱部材８に、挟持金具６ａ，６ｂで挟持される垂下片４３を形成しているも、その垂下片４３は、下葺屋根２に対する挟持固定には関与していないので、万が一断熱部材８が燃えて消失しても、下葺屋根２に対する固定状態に支障をきたすことはなく、固定状態を維持できる。つまり、屋根が飛んでしまうことを阻止できる。
【００６０】
以上の構成は、この発明の一実施の形態であって、例えば係止部材７には、丸馳タイプの吊子を用いるも、その他の形態の係止部材を用いるもよく、取り付ける屋根板の形態に応じて、適宜設定すればよい。また、上記例では固定金具６は左右一対の挟持金具６ａ，６ｂで構成したが、下地材の形態に応じて、例えばひとつの部材からなるタイトフレーム状などに設定すればよい。このほか適宜に変更等ができる。
【００６１】
以下に、他の実施の形態を説明する。なお、同一または同様の構成の部位については上記例と同一の符号を付しておく。
図６の断熱金具１は、上記例の当て板６１両端部に、上端に受け片６３ａを有する逆L字型の支持部６３を形成した例である。この断熱金具１によれば、上葺屋根４から掛かる荷重を支持でき、しかも断熱効果を達成できる。
【００６２】
図７の断熱金具１は、第２断熱受け部４０も板状に形成して、合成樹脂使用量のさようなる低減を図ったものである。すなわち、図８に示したように、第２断熱受け部４０の中央部に、低位置受け面２２に形成した角孔２４と同じ大きさの角孔６４を形成する。また、これら２つの角孔２４，６４に下から嵌合する第２断熱補助部材６５を設ける。第２断熱補助部材６５は、短円柱状のつば部６６と、このつば部６６の上面に一体形成した拡開部６７とを有する。上記つば部６６には、取り付け手段としてのボルト４９を回り止め可能に収容し保持する凹部６８を形成し、この凹部６８の中心位置から上に向けてボルト４９を通す挿通孔６９を形成するが、この挿通孔６９を、テーパ状に形成して、ボルト４９の圧入により、同じくテーパ状に形成した上記拡開部６７が外方へ広がって、低位置受け面２２と第２断熱受け部４０の角孔２４，６４の内側面に圧接して一体化するように構成している。
【００６３】
図９〜図１４は、係止部材７を垂直断熱片３９に取り付ける例の断熱金具１を示している。すなわち、断熱部材８における第１断熱受け部３８と垂直断熱片３９のほか、第２断熱受け部４０も板状に形成し、垂直断熱片３９の長さを長く取っている。そして取り付け手段としてのボルト４９を左側の挟持金具６ａとは非接触の状態で取り付けるべく、第３断熱補助部材７０を左側の挟持金具６ａに取り付ける。
【００６４】
第３断熱補助部材７０は、先の例における第２断熱補助部材６５と略同様に、ボルト４９の圧入でボルト４９を回り止め可能に取り付けるとともに、左側の挟持金具６ａに対して一体化する。すなわち、円板状のつば部７１の内側面に、挟持金具６ａに形成した角孔１２ａに嵌合対応する径の括れ部７２を形成し、この括れ部７２の先に、抜け止め爪部７３を形成している。抜け止め爪部７３の大きさは、垂直断熱片３９に形成した角孔７４に入る大きさである。そして、ボルト４９を挿通する挿通孔７５を、上記つば部７１においてはボルト４９の根角部が嵌合対応する四角形に形成するが、その先を、先端側ほど小径になるようにテーパ状に丸く形成している。
【００６５】
一体化は、挟持金具６ａの角孔１２ａに第３断熱補助部材７０の抜け止め爪部７３を打ち込んで角穴１５と括れ部７２とを噛み合わせて一体化した後、その第３断熱補助部材７０の挿通孔７５にボルト４９を挿通して行う。
【００６６】
また、垂直断熱片３９の左右両面には、外方向に突出する突起を形成している。すなわち図１１、図１２、図１３に示したように、垂直断熱片３９の左側面の下部中央には、縦長形状の第１突起７６を形成している。そして左側の挟持金具６ａの対応位置には、第１突起７６を挿嵌する第１切欠部７７を形成している。また垂直断熱片３９の右側面の前後両側縁下端には、棒状の第２突起７８，７８を突設し、右側の挟持金具６ｂの対応位置には、図１３に破線で示したように第２切欠部７９，７９を形成している。
【００６７】
このように構成した断熱金具１では、先の例の断熱金具１と同様の効果を達成するとともに、上記第１突起７６および第２突起７８と、第１切欠部７７および第２切欠部７９の存在により、図１４に示したように、下葺屋根２に対する固定に際して挟持金具６ａ，６ｂを開いても、各突起７６，７８と各切欠部７７，７９が相互に規制し合うので、ばらばらにならないで、一体性を保持できる。このため、作業がしやすいという効果を達成できる。またこれら各突起７６，７８と各切欠部７７，７９は、上下方向および左右方向での位置ずれ防止機能も果たす。
【００６８】
なお、このように横から係止部材７を取り付けるタイプの断熱金具１でも、図１５に示したような縦断面逆L字型の受け金具８０を係止部材７の垂設部５６に重合して取り付けることで、断熱効果を有しながらも屋根板４ａに上からかかる荷重を支えることができる。
【００６９】
また、上記第２突起７８と第２切欠部７９に代えて、図１６に示したような構成を採用することもできる。すなわち、上記第２突起７８に相当する突起８１を右側の挟持金具６ｂの低位置受け面２２に、上へ凸に折り曲げで形成する。形成は、仮想線で示したように一部を切り起こして行うもよい。そして第２断熱受け部４０の対応位置には、上記突起８１をスライド可能に収容する切欠部を左右方向に所定長さ形成する。
【００７０】
このように構成しても、上述と同様に各部材の一体性を保って、容易な固定作業を行うようにすることができる。
【００７１】
図１７、図１８は、取り付け手段としてのボルト４９を挟持金具６ａ，６ｂと非接触の状態で取り付ける他の例を示している。この例でもボルト４９の圧入で一体化するが、その構成は、断熱部材８の垂直断熱片３９における左側面に、四角い突出部８３を形成する。四角以外に六角形など、回り止めの利く形状であるのが好ましい。
【００７２】
この突出部８３内には、ボルト４９を挿通する挿通孔８４を貫通形成するが、その径を、右側ほど小径となるように設定し、ボルト４９を圧入したときに抜け止めになるようにしている。
【００７３】
また、左側の挟持金具６ａの対応位置には、上記突出部８３を挿嵌可能な角孔１２ａを形成し、第４断熱補助部材８５を上記突出部８３に嵌合することで、挟持金具６ａを断熱部材８に一体化するように構成している。上記第４断熱補助部材５８は、方形の厚板状に形成し、中心部に、上記突出部８３に嵌合する角孔状の嵌着部８６と、ボルト４９の根角部を挿嵌する角孔状の挿嵌部８７とを右側から順に有している。この場合には、上述例の第１突起７６と第１切欠部７７を形成しない。
【００７４】
なお、上記構成における下葺屋根は、この発明の下地材に対応し、
以下同様に、
第１断熱受け部と第２断熱受け部は、断熱受け部に対応し、
凹部１６ａと位置決め突部３９ａ、突部４１と切欠部４２は、凹凸からなる位置決め構造に対応し、
ボルト４９は、取り付け手段に対応し、
断熱部材８と各断熱補助部材５０，６５，７０，８５は、断熱部材に対応し、  第１突起７６と第２突起７８は、突起に対応し、
第１切欠部７７と第２切欠部７９は、切欠部に対応するも、
この発明の構成は、上述の構成のみに限定されるものではない。
例えば取り付け手段は、ボルトに代えてリベット等、その他の適宜手段を用いるもよい。
【図面の簡単な説明】
【図１】屋根板支持用断熱金具の斜視図。
【図２】屋根板支持用断熱金具の使用状態の正面図。
【図３】屋根板支持用断熱金具の縦断面図。
【図４】屋根板支持用断熱金具の分解斜視図。
【図５】屋根板支持用断熱金具の側面図。
【図６】他の例に係る屋根板支持用断熱金具の斜視図。
【図７】他の例に係る屋根板支持用断熱金具の縦断面図。
【図８】図７の断熱金具の一部分解斜視図。
【図９】他の例に係る屋根板支持用断熱金具の斜視図。
【図１０】図９の断熱金具の正面図。
【図１１】図９の断熱金具の縦断面図。
【図１２】図９の断熱金具の一部分解斜視図。
【図１３】図９の断熱金具の側面図。
【図１４】図９の断熱金具の作用状態の断面図。
【図１５】他の例に係る断熱金具の斜視図。
【図１６】他の例に係る断熱金具の作用状態の断面図。
【図１７】他の例に係る断熱金具の縦断面図。
【図１８】図１７の断熱金具の一部分解断面図。
【符号の説明】
１…屋根板支持用断熱金具
２…下葺屋根
４…上葺屋根
４ａ…屋根板
６…固定金具
６ａ，６ｂ…挟持金具
７…係止部材
８…断熱部材
１２…垂直部
１３…高位置受け面
２２…低位置受け面
２６…第１補助金具
２７…第２補助金具
２８…被挟持部
３０，３４…圧接縁
３８……第１断熱受け部
３９…垂直断熱片
４０…第２断熱受け部
４１…突部
４１ａ…係合突部
４２…切欠部
４３…垂下片
４９…ボルト
５０…断熱補助部材
５４…円弧状部
６５…第２断熱補助部材
７０…第３断熱補助部材
７６…第１突起
７７…第１切欠部
７８…第２突起
７９…第２切欠部
８５…第４断熱補助部材
【図１】
2004204456.tif 000003
【図２】
2004204456.tif 000004
【図３】
2004204456.tif 000005
【図４】
2004204456.tif 000006
【図５】
2004204456.tif 000007
【図６】
2004204456.tif 000008
【図７】
2004204456.tif 000009
【図８】
2004204456.tif 000010
【図９】
2004204456.tif 000011
【図１０】
2004204456.tif 000012
【図１１】
2004204456.tif 000013
【図１２】
2004204456.tif 000014
【図１３】
2004204456.tif 000015
【図１４】
2004204456.tif 000016
【図１５】
2004204456.tif 000017
【図１６】
2004204456.tif 000018
【図１７】
2004204456.tif 000019
【図１８】
2004204456.tif 000020